(57)【要約】【課題】台数制御装置が台数制御の対象となる制御対象ボイラの台数制御を実行中に、燃焼指示をした制御対象ボイラの燃焼状態が異常であるか否かを正確に検知し、ヘッダ圧力が不安定になることを抑制すること。【解決手段】複数のボイラ２０を含むボイラ群２の台数制御を行う制御部４は、ボイラ群２に含まれるボイラのうち、台数制御の対象となる制御対象ボイラのボイラ状態を監視する監視部４０と、監視部４０により、燃焼指示済みの制御対象ボイラのボイラ状態が燃焼状態から非燃焼状態に変化する回数が所定条件を満たす第１状態を検知する燃焼異常検知部４１と、燃焼異常検知部４１により第１状態を検知した場合、制御対象ボイラに関するアラームを報知するアラーム報知部４２と、を含む。【選択図】図１
2018105519.tif 000002
【特許請求の範囲】
【請求項１】
複数のボイラからなるボイラ群と、
前記ボイラ群の燃焼状態を制御する制御部と、
を備えるボイラシステムであって、
前記制御部は、
前記ボイラ群に含まれるボイラのうち、台数制御の対象となる制御対象ボイラのボイラ状態を監視する監視部と、
前記監視部により監視される燃焼指示済みの前記制御対象ボイラのボイラ状態が燃焼状態から非燃焼状態に変化する回数が所定条件を満たす第１状態を検知する燃焼異常検知部と、
前記燃焼異常検知部により前記第１状態を検知した場合、前記制御対象ボイラに関するアラームを報知するアラーム報知部と、
を備える、ボイラシステム。
【請求項２】
前記制御部は、さらに
前記燃焼異常検知部により前記第１状態を検知した前記制御対象ボイラの優先順位を繰り下げる優先順位繰下部を備える、請求項１に記載のボイラシステム。
【請求項３】
前記制御部は、さらに
前記燃焼異常検知部により前記第１状態を検知した前記制御対象ボイラを台数制御の対象から外すとともに、前記ボイラ群に含まれるボイラのうち、台数制御の対象外とされた予備ボイラを新たに制御対象ボイラとする制御対象ボイラ変更部を備える、請求項１又は請求項２に記載のボイラシステム。
【請求項４】
前記所定条件は、
前記回数が少なくとも１回である、請求項１乃至請求項３の何れか１項に記載のボイラシステム。
【請求項５】
前記所定条件は、
前記回数が、予め設定された所定時間内に予め設定された所定回数となる、請求項１乃至請求項３の何れか１項に記載のボイラシステム。
【請求項６】
前記所定条件は、
前記回数が、前記ボイラの累計の燃焼時間が予め設定された所定時間内にある場合に、予め設定された所定回数となる、請求項１乃至請求項３の何れか１項に記載のボイラシステム。
【請求項７】
前記ボイラは、段階値制御ボイラ又は連続制御ボイラであって、
非燃焼状態は、少なくとも連続パイロット状態、待機状態、又はパージ状態を含む、請求項１乃至請求項６の何れか１項に記載のボイラシステム。
【発明の詳細な説明】
【技術分野】
【０００１】
本発明は、複数のボイラからなるボイラ群の燃焼状態を制御する台数制御手段（台数制御装置）を備えるボイラシステムに関する。
【背景技術】
【０００２】
ボイラシステムでは、ボイラ群において生成された蒸気を蒸気ヘッダに集合し、この蒸気ヘッダから負荷機器に対して蒸気を供給する。このようなボイラシステムでは、蒸気ヘッダ内の蒸気の圧力（「ヘッダ圧力」ともいう）が設定圧力範囲に収まる、又は目標圧力値を維持するように、台数制御装置により制御対象のボイラの燃焼量を制御することとしている。
台数制御適用中に、台数制御装置の燃焼指示に反してボイラが燃焼停止状態になることがある。このようなときに、アラーム等が出力されると、台数制御装置は、燃焼停止状態となったボイラを台数制御の対象外として、台数制御の対象外のボイラである予備ボイラに燃焼指示を行うことができる。
【０００３】
しかしながら、本稼働後の運用において、例えば台数制御装置の「目標圧力値」をボイラ側に設けられている「圧力高設定値」を上回る値に変更された場合、ボイラ群に対して、台数制御を適用して制御対象ボイラの燃焼状態を制御しているときに、ボイラ圧力が上昇し過ぎてボイラ側に設けられている「圧力高設定値」を超えてしまった場合、台数制御装置からの燃焼指示に反して、当該ボイラは当該ボイラ自身の判断で燃焼停止して待機状態となることがある。
このような場合、台数制御装置は、当該ボイラは一時的に燃焼できない状態であると判断して、当該ボイラが燃焼するまで待つことになる。そうすると、必要な蒸気量が突然不足側に転じてしまうことで、ヘッダ圧力が大きく下降したり、不安定になる可能性があった。
【０００４】
台数制御装置からの燃焼指示に反してボイラ自身の判断で燃焼停止して待機状態となるケースとしては、他にもボイラの水位が低水位でとまっている場合、試運転時の設定ミスにより本稼働以降に問題が発生した場合等、色々なケースが挙げられる。この外、例えば、特許文献１には、主蒸気弁の開け忘れ、蒸気ヘッダと各ボイラをつなぐ枝管に設けた逆止弁の固着、各ボイラに設けた圧力スイッチもしくはセンサの不具合や指示ずれ等が原因で燃焼指示に反してボイラ自身の判断で燃焼停止して待機状態となる場合が記載されている。
【０００５】
これに対して、特許文献１には、台数制御装置は、燃焼指示をしたボイラが燃焼していない場合に、ボイラが燃焼していない経過時間を計測し、計測時間が所定時間以上になった場合に、異常と判定することが記載されている。
【先行技術文献】
【特許文献】
【０００６】
【特許文献１】特開２０１６−１５６５８５号公報
【発明の概要】
【発明が解決しようとする課題】
【０００７】
しかしながら、ボイラの冷態起動時の立ち上がり時間（プレパージから燃焼までの経過時間）はボイラ仕様によりそれぞれ異なっており、所定時間の決定は易しいものではない。例えば、燃焼停止したボイラが保有している熱を放出して冷却された場合に、燃焼指示がなされると、プレパージから燃焼に移行するまでの時間が数分のオーダーでかかることがある。そうすると、所定時間の設定値によっては、プレパージ中にもかかわらず、台数制御装置は異常と誤検知する可能性がある。
したがって、台数制御装置が台数制御の対象となる制御対象ボイラの台数制御を実行中に、燃焼指示をした制御対象ボイラが燃焼していない場合に、当該ボイラの燃焼状態が異常であるか否かを正確に検知し、ヘッダ圧力が不安定になることを抑制する制御が望まれている。
【０００８】
本発明は、台数制御装置が台数制御の対象となる制御対象ボイラの台数制御を実行中に、燃焼指示をした制御対象ボイラが燃焼していない場合に、当該ボイラの燃焼状態が異常であるか否かを正確に検知し、ヘッダ圧力が不安定になることを抑制することができるボイラシステムを提供することを目的とする。
【課題を解決するための手段】
【０００９】
本発明は、複数のボイラからなるボイラ群と、前記ボイラ群の燃焼状態を制御する制御部と、を備えるボイラシステムであって、前記制御部は、前記ボイラ群に含まれるボイラのうち、台数制御の対象となる制御対象ボイラのボイラ状態を監視する監視部と、前記監視部により監視される燃焼指示済みの前記制御対象ボイラのボイラ状態が燃焼状態から非燃焼状態に変化する回数が所定条件を満たす第１状態を検知する燃焼異常検知部と、前記燃焼異常検知部により前記第１状態を検知した場合、前記制御対象ボイラに関するアラームを報知するアラーム報知部と、を備える、ボイラシステムに関する。
【００１０】
また、前記制御部は、さらに前記燃焼異常検知部により前記第１状態を検知した前記制御対象ボイラの優先順位を繰り下げる優先順位繰下部を備えることが好ましい。
【００１１】
また、前記制御部は、さらに前記燃焼異常検知部により前記第１状態を検知した前記制御対象ボイラを台数制御の対象から外すとともに、前記ボイラ群に含まれるボイラのうち、台数制御の対象外とされた予備ボイラを新たに制御対象ボイラとする制御対象ボイラ変更部を備えることが好ましい。
【００１２】
また、前記所定条件は、前記回数が少なくとも１回であるとしてもよい。
【００１３】
また、前記所定条件は、前記回数が、予め設定された所定時間内に予め設定された所定回数となるとしてもよい。
【００１４】
また、前記所定条件は、前記回数が、前記ボイラの累計の燃焼時間が予め設定された所定時間内にある場合に、予め設定された所定回数となるとしてもよい。
【００１５】
また、前記ボイラは、段階値制御ボイラ又は連続制御ボイラであって、非燃焼状態は、少なくとも連続パイロット状態、待機状態、又はパージ状態を含むことが好ましい。
【発明の効果】
【００１６】
本発明によれば、台数制御装置が台数制御の対象となる制御対象ボイラの台数制御を実行中に、燃焼指示がなされた制御対象ボイラが燃焼していない場合に、当該ボイラの燃焼状態が異常であるか否かを正確に検知し、ヘッダ圧力が不安定になることを抑制することができる。
【図面の簡単な説明】
【００１７】
【図１】本発明の一実施形態に係るボイラシステムの概略を示す図である。
【図２】第１実施形態のボイラの構成を示す概略図である。
【図３】本発明の第１実施形態に係る制御部４の処理の流れの一例を示すフローチャートである。
【図４】本発明の第１実施形態に係る制御部４の処理の流れの一例を示すフローチャートである。
【図５】本発明の第１実施形態に係る制御部４の処理の流れの一例を示すフローチャートである。
【発明を実施するための形態】
【００１８】
［第１実施形態］
以下、図面を参照して、本発明の第１実施形態に係るボイラシステム１について説明する。図１は、ボイラシステム１の概略を示す図である。
【００１９】
図１に示すように、ボイラシステム１は、複数（５台）のボイラ２０を含むボイラ群２と、ボイラ２０において生成された蒸気を集合させる蒸気集合部としての蒸気ヘッダ６と、蒸気圧測定手段としての蒸気圧センサ７と、台数制御手段としての台数制御装置３と、を備える。
ボイラ群２は、負荷機器としての蒸気使用設備１８に供給する蒸気を生成する。
【００２０】
蒸気ヘッダ６の上流側は、蒸気管１１を介してボイラ群２（各ボイラ２０）に接続されている。蒸気ヘッダ６の下流側は、蒸気管１２を介して蒸気使用設備１８に接続されている。蒸気ヘッダ６は、ボイラ群２で発生させた蒸気を集合させて貯留することにより各ボイラ２０の相互の圧力差及び圧力変動を調整し、圧力が調整された蒸気を蒸気使用設備１８に供給するようになっている。
【００２１】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００２２】
ボイラシステム１は、ボイラ群２で発生させた蒸気を、蒸気ヘッダ６を介して、蒸気によって運転される蒸気使用設備１８に供給可能とされている。
ボイラシステム１において要求される負荷（要求負荷）は、蒸気使用設備１８における蒸気消費量である。台数制御時においては、この蒸気消費量に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼量を制御する。
【００２３】
蒸気使用設備１８の需要の増大により要求負荷が増加し、供給蒸気量が不足すれば、蒸気ヘッダ６の内部の蒸気圧が減少することになる。一方、蒸気使用設備１８の需要の低下により要求負荷が減少し、供給蒸気量が過剰になれば、蒸気ヘッダ６の内部の蒸気圧が増加することになる。このため、蒸気圧センサ７からの蒸気圧信号により要求負荷の変動をモニターすることができる。ボイラシステム１は、この蒸気圧に基づいて蒸気使用設備１８の消費蒸気量（要求負荷）に応じた目標蒸気量を算出するようになっている。
【００２４】
台数制御装置３は、制御部４と記憶部５とを備える。台数制御装置３は、ボイラ群２の燃焼制御に関して、例えば、記憶部５に記憶される設定条件（ボイラの優先順位等）を変更することができる。なお、設定条件の設定及び変更は、その全部又は一部を手動で行ってもよく、あるいは、その全部又は一部を自動で行ってもよい。
【００２５】
ボイラ２０は、複数の段階的な燃焼位置で燃焼可能な段階値制御ボイラ又は連続制御ボイラである。段階値制御ボイラとは、燃焼を選択的にオン／オフしたり、炎の大きさを調整したりすること等により燃焼量を制御して、選択された燃焼位置に応じて燃焼量を段階的に増減可能なボイラである。より具体的には、段階値制御ボイラとは、Ｎ（≧３）を任意の整数として、Ｎ位置制御すなわち、段階値制御ボイラの燃焼量を、燃焼停止状態を含めてＮ位置に段階的に制御可能なボイラ２０である。
【００２６】
なお、５台のボイラ２０を段階値制御ボイラとした場合、各ボイラ２０においては、それぞれ、各燃焼位置における燃焼量及び燃焼能力（高燃焼状態における燃焼量）は、等しく設定されていてもよく、あるいは、異なって設定されていてもよい。
【００２７】
また、ボイラ２０を段階値制御ボイラに換えて、連続制御ボイラとすることもできる。ここで、連続制御ボイラとは、燃焼率を連続的に変更して燃焼可能な連続制御ボイラである。例えば、少なくとも、最小燃焼状態Ｓ１（例えば、最大燃焼率の２０％の燃焼量における燃焼状態）から最大燃焼状態Ｓ２の範囲で、燃焼量が連続的に制御可能とされているボイラである。連続制御ボイラは、例えば、燃料をバーナに供給するバルブや、燃焼用空気を供給するバルブの開度（燃焼比）を制御することにより、燃焼量を調整するようになっている。
【００２８】
連続制御ボイラは、連続制御ボイラの燃焼停止状態Ｓ０と最小燃焼状態Ｓ１との間の燃焼状態の変更については、連続制御ボイラ（バーナ）の燃焼をオン／オフすることで制御される。そして、最小燃焼状態Ｓ１から最大燃焼状態Ｓ２の範囲においては、燃焼量が連続的に制御可能となっている。
なお、燃焼量を連続的に制御するとは、後述のローカル制御部における演算や信号がデジタル方式とされて段階的に取り扱われる場合（例えば、連続制御ボイラの出力（燃焼量）が１％刻みで制御される場合）であっても、事実上連続的に出力を制御可能な場合を含む。
【００２９】
複数のボイラ２０には、それぞれ優先順位が設定されている。優先順位は、燃焼指示や燃焼停止指示等を行うボイラ２０を選択するために用いられる。優先順位は、例えば整数値を用いて、数値が小さいほど優先順位が高くなるよう設定することができる。優先順位は、通常の場合、制御部４の制御により、所定の時間間隔（例えば、２４時間間隔）で変更される。
台数制御装置３は、強制的に優先順位どおりに各ボイラ２０を燃焼させるのではなく、負荷変動に伴い、優先順位に従って、優先順位の高いボイラ２０を燃焼させ、優先順位の低いボイラ２０を燃焼停止させることで、自然に優先順位どおりに燃焼ボイラを入れ替える、最適燃焼移行制御機能を備える。
【００３０】
複数のボイラ２０のそれぞれは、信号線１６を介して台数制御装置３と電気的に接続され、台数制御装置３の制御により燃焼位置（燃焼状態）が制御される。また、複数のボイラ２０のそれぞれは、運転者の操作により又は自動的に台数制御装置３の制御から切り離すことができる。
【００３１】
以上説明したボイラ２０は、図１に示すように、燃焼が行われるボイラ本体２１と、ボイラ２０の燃焼位置又は燃焼状態を制御するローカル制御部２２と、を有する。
【００３２】
ローカル制御部２２は、各ボイラ２０を制御し、要求負荷に応じて燃焼位置又は燃焼状態を変更させることが可能とされている。ローカル制御部２２は、台数制御時には、制御部４による台数制御信号に基づいて各ボイラ２０を制御し、一方、ローカル制御時には、ボイラ２０を直接制御する。
【００３３】
以上のように構成されたボイラシステム１では、ボイラ群２で発生させた蒸気が、蒸気ヘッダ６を介して蒸気使用設備１８に供給される。
【００３４】
次に、台数制御装置３の詳細について説明する。
台数制御装置３は、蒸気圧センサ７からの蒸気圧力信号に基づいて、要求負荷に応じたボイラ群２の必要燃焼量、及び必要燃焼量に対応する各ボイラ２０の燃焼状態を算出し、各ボイラ２０（ローカル制御部２２）に台数制御信号を送信する。この台数制御装置３は、図１に示すように、制御部４と、記憶部５と、を備える。
【００３５】
制御部４は、信号線１６を介して各ボイラ２０に各種の指示を行ったり、各ボイラ２０から各種のデータを受信したりして、各ボイラ２０の燃焼状態や優先順位を制御する。各ボイラ２０は、制御部４から燃焼状態の変更指示の信号を受けると、その指示に従って当該ボイラ２０を制御する。
制御部４の詳細な構成については後述する。
【００３６】
記憶部５は、制御部４の制御により各ボイラ２０に対して行われた指示の内容や、各ボイラ２０から受信した燃焼状態、複数のボイラ２０の優先順位の設定の情報、優先順位の変更（ローテーション）に関する設定の情報等を記憶する。
また、記憶部５は、各ボイラ２０から出力される出力蒸気量、及び各ボイラ２０それぞれから出力される出力蒸気量の合計値を記憶する。
【００３７】
次に制御部４の詳細な構成について説明する。図２は、制御部４の機能構成を示すブロック図である。
制御対象ボイラの台数制御を実行中に、燃焼指示をした制御対象ボイラが燃焼していない場合に、当該ボイラの燃焼状態が異常であるか否かを正確に検知するために、制御部４は、図２に示すように、監視部４０と、燃焼異常検知部４１と、アラーム報知部４２と、優先順位繰下部４３と、制御対象ボイラ変更部４４と、を含んで構成される。
【００３８】
［監視部４０］
監視部４０は、ボイラ群２に含まれるボイラ２０のうち、台数制御の対象となる制御対象ボイラのボイラ状態を常時監視する。より具体的には、ボイラ２０が燃焼状態であるか又は非燃焼状態であるかを監視する。
ここで、非燃焼状態とは、連続パイロット状態、待機状態、又はパージ状態（プレパージ状態又はポストパージ状態）を含む。なお、監視部４０は、ボイラ２０が燃焼できない状態（例えば、運転スイッチがオフの状態、異常停止した状態等）にある場合については、当該ボイラ２０を非燃焼状態にあるとはみなさない。
【００３９】
［燃焼異常検知部４１］
燃焼異常検知部４１は、監視部４０により監視される燃焼指示済みの制御対象ボイラのボイラ状態が燃焼状態から非燃焼状態に変化する回数が所定条件を満たす第１状態になることを検知する。なお、所定条件は予め設定し、記憶部５に記憶するようにしてもよい。
所定条件としては、例えば燃焼指示済みの制御対象ボイラのボイラ状態が燃焼状態から非燃焼状態に変化した場合としてもよい。これは、変化する回数が１回の場合に該当ずる。
例えば、運転開始前の設定値が不適切である等の理由により、台数制御下の制御対象ボイラが突然待機となったような場合が該当する。この場合、燃焼異常検知部４１は、監視部４０により、燃焼指示済みの制御対象ボイラのボイラ状態が燃焼状態から非燃焼状態に変化した状態（第１状態）を検知する。
また、所定条件としては、燃焼指示済みの制御対象ボイラのボイラ状態が燃焼状態から非燃焼状態に変化する回数が、予め設定された所定時間内に予め設定された所定回数となることとしてもよい。
例えば、ボイラ圧力設定ミス又は主蒸気バルブ操作ミスの発生した場合が該当する。この場合、燃焼異常検知部４１は、監視部４０により監視される燃焼指示済みの制御対象ボイラのボイラ状態が燃焼状態から非燃焼状態に変化する回数が所定時間内に所定回数発生した状態（第１状態）を検知する。
ただし、この場合には、例えば、１０分に１回の頻度でしか燃焼指示が出ない状況に対し、仮に所定時間を５分に設定した場合、結果的に異常を検出することができない。
このため、所定条件として、燃焼指示済みの制御対象ボイラのボイラ状態が燃焼状態から非燃焼状態に変化する回数が、当該ボイラの累計の燃焼時間が予め設定された所定時間内にある場合に、予め設定された所定回数となることとしてもよい。
そうすることで、例えば１０分に１回の頻度でしか燃焼指示が出ない状況であっても、ボイラの累計の燃焼時間に基づいて判断することで、異常を検出することが可能となる。以下、燃焼異常検知部４１により第１状態を検知した制御対象ボイラを簡単のため「第１状態ボイラ」ともいう。
このようにすることで、燃焼指示のなされたボイラが燃焼していない場合に当該ボイラが燃焼していない経過時間を計測し、単に計測時間が所定時間以上になったときに異常と判定する従来技術と比較して、当該ボイラの燃焼状態が異常であるか否かをより正確に検知することができる。例えば、従来技術の場合、冷態起動時の立ち上がり時間の設定が異なるボイラが混在するボイラシステムにおいて、冷態起動時の立ち上がり時間が所定時間よりも大きいボイラがあった場合に、燃焼指示のなされたボイラがパージ中であるような場合に異常と誤検知される可能性があった。これに対して、燃焼異常検知部４１の場合には、燃焼指示のなされたボイラがパージ中であるような場合に異常と誤検知することがない。
【００４０】
［アラーム報知部４２］
アラーム報知部４２は、燃焼異常検知部４１により第１状態を検知した場合、第１状態ボイラに関するアラームを報知する。例えば、アラーム報知部４２は、音や光等により報知を行うように構成してもよい。この際、台数制御盤等の表示部にアラームメッセージを出力するようにしてもよい。
【００４１】
［優先順位繰下部４３］
優先順位繰下部４３は、第１状態ボイラの優先順位を繰り下げる。例えば、優先順位繰下部４３は、第１状態ボイラの優先順位をボイラ群２のなかで最下位に繰り下げるようにしてもよい。なお、優先順位繰下げ部４３は、第１状態ボイラの優先順位を繰り下げるとともに、第１状態ボイラ以外の優先順位が最下位のボイラ（例えば、待機ボイラ）の優先順位を繰り上げる。
第１状態ボイラの優先順位を繰り下げることで、制御部４の備える最適燃焼移行制御機能により、第１状態ボイラを燃焼停止させ、代わりに優先順位を高く設定したボイラ２０を燃焼させることができる。そうすることで、ヘッダ圧力が不安定になることを抑制することが可能となる。
【００４２】
［制御対象ボイラ変更部４４］
制御対象ボイラ変更部４４は、第１状態ボイラを台数制御の対象から外す。その代わりに、制御対象ボイラ変更部４４は、ボイラ群２に含まれるボイラのうち、台数制御の対象外とされていた予備ボイラを新たに制御対象ボイラとするように変更する。
第１状態ボイラを台数制御の対象から外すことで、当該第１状態ボイラ２０の状態を保守員が調査することが可能となる。
【００４３】
［制御部４の処理フロー］
次に、第１実施形態における台数制御装置３（制御部４）による制御の一連の流れについて図３を参照しながら説明する。図３は制御部４の処理内容を示すフローチャート図である。
【００４４】
図３に、台数制御装置３（制御部４）の処理内容を示す。
なお、ボイラ群２に含まれる各ボイラ２０は、台数制御装置３（制御部４）により台数制御されているものとする。例えば、３台が燃焼状態にあり、２台が非燃焼状態（予備ボイラ）であるとする。
図３を参照しながらブロー報知ボイラに係る処理フローについて説明する。
【００４５】
ステップＳＴ１において、制御部４（監視部４０）は、各ボイラ２０が燃焼状態であるか又は非燃焼状態であるかを監視する。
【００４６】
ステップＳＴ２において、制御部４（燃焼異常検知部４１）は、燃焼指示済みの制御対象ボイラのボイラ状態が第１状態となったか否かを検知する。燃焼指示済みの制御対象ボイラのボイラ状態が第１状態となったことを検知した場合（Ｙｅｓ）、ステップＳＴ３に移る。第１状態となったボイラ２０を（第１状態ボイラ）を検知しない場合（Ｎｏ）、ステップＳＴ１に戻る。
【００４７】
ステップＳＴ３において、制御部４（アラーム報知部４２）は、第１状態ボイラに関するアラームを報知する。
【００４８】
ステップＳＴ４において、制御部４（優先順位繰下部４３）は、第１状態ボイラの燃焼優先順位をボイラ群２のなかで最下位に繰り下げる。
【００４９】
ステップＳＴ５において、第１状態ボイラが非燃焼状態となることで、ヘッダ圧力値が下がり、制御部４の備える最適燃焼移行制御機能により、優先順位の高いボイラ２０を燃焼させ、その後ヘッダ圧力値が上がると第１状態ボイラを燃焼停止させる。ステップＳＴ１に戻る。
【００５０】
このように、第１状態ボイラの優先順位を最下位に繰り下げることにより、最適燃焼移行制御機能により、第１状態ボイラを燃焼停止させ、代わりに優先順位の高いボイラ２０を燃焼させることができる。そうすることで、ヘッダ圧力が不安定になることを抑制することが可能となる。
【００５１】
なお、台数制御装置４（制御部４０）の処理フローは、上記に限定されない。
【００５２】
＜変形例１＞
図３に記載したフローにおいて、ステップＳＴ４及びステップＳＴ５を図４に示すように置き換えることができる。
ステップＳＴ４において、制御部４（制御対象ボイラ変更部４４）は、第１状態ボイラを台数制御の対象から外すとともに、台数制御の対象外とされていた予備ボイラを新たに制御対象ボイラに変更する。
【００５３】
ステップＳＴ５において、新たに制御対象ボイラとされたボイラ２０を燃焼させる。ステップＳＴ１に戻る。
【００５４】
このように、第１状態ボイラ台数制御の対象から外すとともに、台数制御の対象外とされていた予備ボイラを新たに制御対象ボイラに変更することができる。そうすることで、ヘッダ圧力が不安定になることを抑制することが可能となる。
【００５５】
＜変形例２＞
図３に記載したフローにおいて、ステップＳＴ４とステップＳＴ５の間に、新たなステップＳＴ４´を挿入するとともに、ステップＳＴ５を図５に示すように置き換えることができる。
ステップＳＴ４´において、制御部４（制御対象ボイラ変更部４４）は、第１状態ボイラを台数制御の対象から外すとともに、台数制御の対象外である予備ボイラを新たに制御対象ボイラに変更する。
【００５６】
ステップＳＴ５において、新たに制御対象ボイラとされたボイラ２０を燃焼させる。ステップＳＴ１に戻る。
【００５７】
変形例２は、第１状態ボイラの優先順位を最下位に繰り下げるとともに、台数制御対象から外すものである。このように、第１状態ボイラ台数制御の対象から外すとともに、台数制御の対象外である予備ボイラを新たに制御対象ボイラに変更することができる。そうすることで、ヘッダ圧力が不安定になることを抑制することが可能となる。
なお、変形例２において、第１状態ボイラを台数制御の対象から外した後に、当該ボイラの優先順位を繰下げるようにしてもよい。
【００５８】
以上説明した第１実施形態のボイラシステム１によれば、以下のような効果を奏する。
【００５９】
第１実施形態のボイラシステム１に係る台数制御装置３（制御部４）は、ボイラ群２に含まれるボイラ２０のうち、台数制御の対象となる制御対象ボイラのボイラ状態を監視する監視部４０と、監視部４０により監視される燃焼指示済みの制御対象ボイラのボイラ状態が燃焼状態から非燃焼状態に変化する回数が所定条件を満たす第１状態になることを検知する燃焼異常検知部４１と、燃焼異常検知部４１により第１状態を検知した場合、制御対象ボイラに関するアラームを報知するアラーム報知部４２と、を含む。
これにより、例えば燃焼指示がなされた制御対象ボイラが指示に反して燃焼していないことを正確に検知することで、運転開始前の設定値が不適切であったり、ボイラ圧力設定ミス、ボイラの水位が低水位でとまっている場合、主蒸気バルブ操作ミス（ボイラ主蒸気バルブ開け忘れ）、蒸気ヘッダと各ボイラをつなぐ枝管に設けた逆止弁の固着、又は各ボイラに設けた圧力スイッチもしくはセンサの不具合や指示ずれ等に起因するようなボイラ２０の燃焼状態の異常を正確に検知することができる。そうすることで、運転員又は保守員が早々に問題発生を気づくことができる。
【００６０】
第１実施形態のボイラシステム１に係る台数制御装置３（制御部４）は、さらに第１状態ボイラの優先順位を繰り下げる優先順位繰下部４２を備える。
これにより、制御部４の備える最適燃焼移行制御機能により、燃焼異常検知部４１により検知した第１状態ボイラを燃焼停止させ、優先順位の高いボイラ２０を燃焼させることができる。こうすることで、第１状態ボイラを燃焼させにくくすることができ、ヘッダ圧力が不安定になることを抑制することができる。
【００６１】
第１実施形態のボイラシステム１に係る台数制御装置３（制御部４）は、さらに、第１状態ボイラを台数制御の対象から外すとともに、ボイラ群２に含まれるボイラのうち、台数制御の対象外とされていた予備ボイラを新たに制御対象ボイラとするように変更する制御対象ボイラ変更部４４を備える。
これにより、ヘッダ圧力が不安定になることを抑制することができるとともに、燃焼異常検知部４１により検知された第１状態ボイラ２０の状態を運転員、保守員等が調査することが可能となる。
【００６２】
以上、本発明のボイラシステムの好ましい第１実施形態について説明したが、本発明は、上述の実施形態に制限されるものではなく、適宜変更が可能である。
【００６３】
第１実施形態では、本発明を、５台のボイラ２０からなるボイラ群２を備えるボイラシステム１に適用したが、これに限らない。すなわち、本発明を、６台以上のボイラ２０からなるボイラ群を備えるボイラシステムに適用してもよく、また、２台から４台のボイラからなるボイラ群を備えるボイラシステムに適用してもよい。
【００６４】
第１実施形態において、ボイラ２０を連続制御ボイラとした場合、すべて同一のボイラ容量とすることに限らない。すなわち、連続制御ボイラ毎にその最小燃焼量、単位蒸気量、最大燃焼量としての燃焼能力が異なる場合にも適用可能である。
【００６５】
第１実施形態において、ボイラ２０を段階値制御ボイラとした場合、任意のＮ位置の燃焼位置を有することとしてもよい。
また、段階値制御ボイラにより構成する場合、段階値ボイラ毎に、ボイラ容量、燃焼位置の段階数Ｎ、及び各燃焼位置における燃焼率等を異なるものとしてもよい。
【符号の説明】
【００６６】
１  ボイラシステム
２  ボイラ群
３  台数制御装置
４  制御部
４０  監視部
４１  異常検知部
４２  アラーム報知部
４３  優先順位繰下部
４４  制御対象ボイラ変更部
５  記憶部
６  蒸気ヘッダ（蒸気集合部）
７  蒸気圧センサ（蒸気圧測定手段）
１８  蒸気使用設備（負荷機器）
２０  ボイラ
【図１】
2018105519.tif 000003
【図２】
2018105519.tif 000004
【図３】
2018105519.tif 000005
【図４】
2018105519.tif 000006
【図５】
2018105519.tif 000007